(57)【要約】  画面（９）と、前記画面（９）を支持するための支持要素（１２）を備え、前記支持要素（１２）それぞれが、接触領域（１３）で前記画面（９）と接触する、支持構造（１０）と、光源（２、３）であって、各光源が、前記画面（９）上で照明領域を照射する光源（２、３）とを含み、互いに隣接する光源によって生成された前記照明領域が重複し、したがって重複領域を作り出し、前記支持要素（１２）と前記画面（９）との間の接触領域（１３）が、前記重複領域で重なるようにして、前記光源（２、３）が配置される、画像を表示するための装置。【選択図】  図２
2008537287.tif 000002
【特許請求の範囲】
【請求項１】
画面（９）と、
前記画面（９）を支持するための支持要素（１２）を備え、前記支持要素（１２）がそれぞれ、接触領域（１３）で前記画面（９）と接触する、支持構造（１０）と、
光源（２、３、４及び５）であって、各光源が、前記画面（９）上の照明領域（５２、５３）を照射する光源（２、３、４及び５）と
を含み、
前記光源（２、３、４及び５）が、互いに隣接する光源によって生成された前記照明領域が重複するように配置され、したがって重複領域（５０）を作り出し、前記支持要素（１２）と前記画面（９）の間の前記接触領域（１３）が、前記重複領域（５０）と重なる、画像を表示するための装置。
【請求項２】
各照明領域（５２、５３）が拡散ハロー（５８、５９）によって囲まれた中心照射領域（５６、５７）から構成されるとともに拡散レベル（７）で作り出されるように、前記画面（９）が前記光源（２、３、４及び５）によって放出された光を拡散する前記光拡散手段（７）を含む、請求項１に記載の装置。
【請求項３】
前記画面（９）が、前記支持要素（１２）と前記光拡散手段（７）との間に位置する、厚さがｅの透明部分（６）を含む、請求項２に記載の装置。
【請求項４】
前記透明部分（６）の厚さｅが、
ｅｍａｘ＝（Ｉ＋Ｌ）ｃｏｔａｎ（α／２）−ｈ
である、
（ｈが、前記光源（２、３、４及び５）と前記透明部分（６）と間の最短距離であり、
Ｌが、各支持要素（１２）と最も近くにある光源（２、３、４及び５）との間の距離であり、
Ｉが、前記接触領域の中心と縁部との間の距離であり、
αが、前記光源の直接照射の角度である、関係式によって与えられる値ｅｍａｘより小さい）
請求項４に記載の装置。
【請求項５】
前記透明部分（６）が、第１及び第２の面を含む、ガラス又はプレキシグラスなどの透明要素であり、前記接触領域（１３）が前記透明要素（６）の前記第１の面上にあり、
前記拡散手段（７）が、前記透明要素（６）の前記第２の面上に位置する、リアプロジェクション式の布地などの半透明要素である、請求項３又は４に記載の装置。
【請求項６】
第２の透明要素（８）を備え、第２の透明要素（８）により、前記拡散手段（７）が前記第１の透明要素（６）と前記第２の透明要素（８）との間に位置する、請求項５に記載の装置。
【請求項７】
前記光源（２、３、４及び５）を保持する少なくとも１つの保持手段（１）を含み、前記保持手段（１）が、前記支持要素（１２）から距離ｄ、及び前記画面（９）から距離ｄ’のところに位置し、したがって、前記保持手段（１）と前記支持要素（１２）の間、及び前記保持手段（１）と前記画面（９）の間に空間（１４）を画定し、その結果、前記画面（９）の振動が、前記光源（２、３、４及び５）に直接又は前記支持要素（１２）を介して伝達されない、請求項１〜６のいずれか一項に記載の装置。
【請求項８】
前記光源（２、３、４及び５）を保持する前記保持手段（１）が、前記光源（２、３、４及び５）を含むパネル（１）であり、前記パネル（１）が、前記支持要素（１２）がその中を通るための貫通孔を含む、請求項６に記載の装置。
【請求項９】
前記装置が、壁面（３０、１７）を含む箱の形状である、請求項１〜８のいずれか一項に記載の装置。
【請求項１０】
前記壁面（３０、１７）が、ケーブルがその中を通ることを可能にするための少なくとも１つの通路（１６、１８）を含む、請求項８に記載の装置。
【請求項１１】
前記光源（２、３、４及び５）によって放出される光のパラメータを制御することを可能にする制御手段（４０）を含む、請求項１〜１０のいずれか一項に記載の装置。
【請求項１２】
前記装置の前記構成物（１０）が仕切り（２４）を含み、その結果、前記制御手段（４０）を装置の残りの部分から分離することを可能にする、請求項１０に記載の装置。
【請求項１３】
請求項１〜１２のいずれか一項に記載の少なくとも１つの他の装置に前記装置を接続する接続手段を備える、請求項１〜１２のいずれか一項に記載の装置。
【請求項１４】
前記装置が、一方の装置の縁部がもう一方の装置の縁部に隣接するように当接し、当接することにより、両方の装置の画面が複合画面を構成し、前記複合画面の表面が各装置の各画面の表面の合計に対応する、請求項１〜１３のいずれか一項に記載の少なくとも２つの装置の、アセンブリ。
【請求項１５】
画像を前記複合画面上に投影するために、全ての前記装置を制御する、前記アセンブリの装置全体に接続された一括の制御手段を備える、請求項１３に記載のアセンブリ。
【発明の詳細な説明】
【技術分野】
【０００１】
本発明は、支持構造によって支持された画面を含む、画像を表示するための装置に関する。より詳細には、本発明は、前記画面を支持するための支持要素を備えた支持構造を含む装置であって、前記支持要素それぞれが前記画面と接触領域で接触し、前記装置が光源も備え、各光源が前記画面上の照明領域を照射する装置に関する。
【背景技術】
【０００２】
ショーのためのステージ又はダンスフロアとして使用される面に画像を拡散させるという要求がある。踊っている人たちの重さに耐えるために、非常に厚いガラスパネルが使用されている。液晶表示（ＬＣＤ、ｌｉｑｕｉｄ  ｃｒｙｓｔａｌ  ｄｉｓｐｌａｙ）画面などの画面は、透明なガラスの下で互いに当接して配置され、それにより、それらの画面上に示された画像は、大きなガラスパネルを通して見ることができる。ガラスパネルのすぐ下の画像の中心に支持要素を取り付けることは不可能である。というのは、画像に穴ができることになり、様々なＬＣＤ画面パネル間で画像を調節することが非常に難しくなるからである。これを克服するには、パネルをその縁部においてのみ支持し、関連する場所にしたがって寸法設定し成形する。ショーのためのステージ又はダンスフロアなどの場所が大きいほど、パネルをより厚くする必要がある。その欠点は、こうした構成が独特であり関連する場所にしか適合しないという点である。さらに、面によって覆う場所が大きいほど、こうした構成を設定するのがより難しくよりコストがかかる。
【発明の開示】
【発明が解決しようとする課題】
【０００３】
したがって、本発明の目的は、様々な寸法及び様々な形状のステージ又は床を見せるように適合することができ、画像が示されているところで支持する可能性なしに非常に厚いガラスパネルの使用を必要としない、画像又は映像の投影のための面を作り出すことを可能にする装置を使用できるようにすることである。
【課題を解決するための手段】
【０００４】
したがって、本発明の目的は、導入部分による画像を表示するための装置を提供することであって、かかる装置は、互いに隣接する光源によって生成された前記照明領域が重複し、したがって重複領域を作り出し、前記支持要素と前記画面との間の接触領域が前記重複領域と重なるように前記光源が配置された、装置である。したがって、本発明によれば、光源が前記画面を照射するときに、その光しか見ることができず、したがって、接触領域が隠されるか、又は光源の光度に応じて和らげられる。
【０００５】
好ましくは、前記画面は、各照明領域が拡散ハロー（ｄｉｆｆｕｓｉｏｎ  ｈａｌｏ）によって囲まれた中心照射領域から構成されるとともに、前記拡散レベルで作り出されるように、前記光源によって放出された光を拡散する光拡散手段を含む。これにより、正確な光のドットを拡散手段上で見ることが可能になる。それらのドットは、中心照射領域に対応する。それにより、表示された画像の１つの画素を画定することが可能になる。拡散ハローが、各画素間で外観上の移行領域を成すことが可能になる。
【０００６】
好ましくは、前記画面は、前記支持要素と前記光拡散手段の間に位置する、厚さｅの透明部分を含む。この透明部分は、拡散手段上の拡散の範囲を増大することを可能にする。
【０００７】
好ましくは、前記透明部分の前記厚さｅは、以下の関係式によって与えられる値ｅｍａｘより小さい。
ｅｍａｘ＝（Ｉ＋Ｌ）ｃｏｔａｎ（α／２）−ｈ
ただし、ｈは、光源（２、３、４及び５）と前記透明部分（６）との最短距離であり、
Ｌは、各支持要素（１２）と最も近くにある光源（２、３、４及び５）との間の距離であり、
Ｉは、前記接触領域の中心と縁部との間の距離であり、
αは、前記光源の直接照射の角度である。
【０００８】
したがって、接触領域上で重なる重複領域は、拡散ハローが重複し、直接照射の光線が重複しないことによってのみ得られる。それにより、接触領域を重複する拡散ハローによって隠しながら、画素の重複を防止することが可能になる。
【０００９】
好ましくは、前記透明部分は、前記接触領域が第１の面である、第１及び第２の面を含むガラス又はプレキシグラスなどの透明要素であり、前記拡散手段は、前記透明要素の前記第２の面上に位置する、リアプロジェクション式の布地などの半透明要素である。これにより、例えばガラスパネルに貼り付けることによって、一般的なリアプロジェクション式の布地を本発明のために使用することが可能になる。
【００１０】
やはり好ましくは、前記装置は、第２の透明要素を含み、それにより、前記拡散手段が、前記第１の透明要素と前記第２の透明要素との間に位置する。これは、前記拡散手段が、衝撃又は汚れに対して保護されることを可能にする。
【００１１】
好ましい実施形態によれば、前記装置は、前記光源を保持する少なくとも１つの保持手段を含み、前記保持手段が、前記支持要素から距離ｄ、前記画面から距離ｄ’のところに位置し、したがって、前記保持手段と前記支持要素の間、及び前記保持手段と前記画面の間に空間を画定し、その結果、前記画面の振動が、前記光源に直接又は前記支持要素を介して伝達されない。
【００１２】
好ましくは、前記光源を保持する前記保持手段は、前記光源を含むパネルであり、前記パネルは、前記支持要素がその中を通るための貫通孔を含む。
【００１３】
他の好ましい実施形態によれば、この装置は壁面を含む箱の形状である。これにより、全ての光源を輸送又は設置中に保護することが可能になる。これは、本発明によるいくつかの装置によって表面を覆うために、いくつかの装置が側面同士で当接することを可能にする。
【００１４】
好ましくは、前記壁面は、ケーブルがその中を通ることが可能になるように少なくとも１つの通路を含む。
【００１５】
他の好ましい実施形態によれば、前記装置は、前記光源によって放出された光のパラメータを制御することを可能にする制御手段を含む。特に、これは、画像又は画像の一部を表示するための前記装置を制御することを可能にする。
【００１６】
好ましくは、本発明による装置の構成物が仕切りを備え、それにより、前記制御手段を装置の残りの部分から分離することを可能にする。
【００１７】
他の好ましい実施形態によれば、前記装置は、前記装置を本発明による少なくとも１つの他の装置に接続するための接続手段を備える。
【００１８】
本発明の第２の目的は、本発明による少なくとも２つの装置のアセンブリであって、一方の装置の縁部がもう一方の装置の縁部に隣接するように装置同士が当接し、その結果、両方の装置の画面が複合画面を構成し、その表面が各装置の各画面の面の合計に対応する、アセンブリである。
【００１９】
本発明による第２の目的の好ましい実施形態によれば、前記アセンブリは、画像を前記複合画面上に投影するための前記装置全てを制御するための、前記アセンブリの全ての装置に接続された一括の制御手段を含む。
【００２０】
本発明の目標、目的及び特徴は、図面を参照して以下の説明を読むときにより明確になるであろう。
【発明を実施するための最良の形態】
【００２１】
図１に示すように、装置は、支持要素１２を備えた構成物１０を含む。明瞭にするために、図１には画面及びケーブルを示していない。その装置は、光源２、３、４及び５も含み、それらは、少なくとも１つの保持手段１によって支持されている。好ましくは、その保持手段１は、前記光源２、３、４及び５を含むパネルである。そのパネルには、支持要素１２がその中を通るための孔がある。好ましくは、パネル１は、図１に示すように、例えばピンなどの支持手段１５によって支持される。好ましくは、前記パネル１は、前記支持手段１５に取り付けられている。図１は、２つの保持手段１を示す。好ましくは、全ての保持手段１又は（１つしかないときは）その保持手段が装置全体を覆う。図を明瞭にするために、図１の装置の半分しか保持手段１、したがって光源によって覆われていない。好ましくは、保持手段は、プリント回路であり、光源２、３、４及び５がそれに接続される。
【００２２】
好ましくは、それらの光源は一様に分配される。図１に示すように、それぞれの支持手段１２は、最も近くにある光源２、３、４及び５に対応する１群の光源によって囲まれている。好ましくは、その群の光源はそれぞれ、支持要素１２から等しく間隔をあけて配置される。
【００２３】
本発明による装置は、壁面３０及び１７を含む。図１に示す優先的な例では、装置は、箱の形状であり、各縁部の壁面３０とパネル１７とを含む。縁部３０は、装置の側面及び特に光源２、３、４及び５を含む照射手段を保護することを可能にする。パネル１７も、それらの照射手段の底面を保護することを可能にする。パネル１７は、ケーブルがその中を通ることを可能にするための、少なくとも１つの通路１８を備える。壁面３０も、ケーブルがその中を通ることを可能にするための通路１６を備える。それらのケーブルは、例えば、光源２、３、４及び５に電力を供給するための接続ケーブルである。図を明瞭にするために、１つの支持要素にだけ参照番号１２が付与されており、その支持要素を取り囲む光源２、３、４及び５の群のみが参照されていることに留意されたい。しかし、この支持要素１２及びこれらの光源２、３、４及び５に関係する記述は、図１に示す全ての他の支持要素及びそれらを取り囲む光源に拡大して適用する。好ましくは、それらの壁面３０はさらに、レッジ３２及び／又はボーダー（ｂｏｒｄｅｒ）３３を含み、それらは、好ましくは壁面３０の長さ全体にわたって装置の内側を延びる。レッジ３２の高さは、支持要素１２の高さと同じである。
【００２４】
図２は、本発明による装置の断面図を示す。その断面は、支持要素１２の中心を通って延びる軸に沿って切断されている。画面９は、支持要素１２によって支持される。画面９の支持要素１２と接触する部分は、接触領域１３と定義される。好ましくは、支持要素１２は、上面が平坦なピンの形状である。図２に示すように、その平坦な上面は、前記画面９に完全に接触し、したがって、前記接触領域１３に対応する。
【００２５】
好ましくは、画面９は、厚さがｅの透明部分６で構成される。透明とは、光を通し、その厚さを通して物体をはっきりと識別できる材料を意味する。この透明部分６の第１の面は、接触領域１３で支持要素１２と接触している。画面９はまた、前記透明部分６の第２の面において拡散手段７も含む。したがって、光源２、３は、透明部分６を通して拡散手段７を照射する。したがって、拡散手段上に照明領域が作り出される。この領域は、光源による拡散手段の直接の照射に対応する中心照射領域と、その中心照射領域の周りの拡散ハローから構成される。この拡散ハローは、拡散手段によって生み出される。例えば、透明要素６はガラスパネルでよく、その第２の面がサンドブラスト仕上げされ、それにより光を拡散する。その場合、透明要素６の第２の面が拡散手段を構成する。
【００２６】
好ましくは、透明部分は、透明なガラスパネルなどの透明要素であり、拡散手段７は、前記透明要素６の前記第２の面に位置するリアプロジェクション式の布地などの半透明要素である。半透明とは、光を通すが、その厚さを通して物体の輪郭をはっきりと識別することが可能でない材料を意味する。
【００２７】
好ましくは、拡散手段７のもう一方の面には第２の透明要素８が配置される。したがって、その拡散手段７は、第１の透明要素６と第２の透明要素８との間に位置する。この第２の透明要素は、拡散手段７が保護されるのを可能にする。それゆえ、図１及び図２を考えれば、画面が構成物１０上に配置されると、光源２、３、４及び５並びにそれらの保持手段１が、縁部３０、画面９及びパネル１７内に封入されることが明らかになる。好ましくは、透明要素６及び８がガラス製のときは、それらは同じ厚さであり、それにより、画面９の強度を高めることを可能にする。
【００２８】
好ましくは、レッジ３２は、前記画面をさらに支持することを可能にする。ボーダー３３により、前記構成物１０から構成された箱の、画面９による封入を調節することが可能になる。前記構成物１０は、好ましくは仕切り２４を含む。
【００２９】
好ましくは、図２に示すように、支持要素１２は、前記装置がその上で支持される支持面１００まで大きく直接延びる。したがって、前記支持面１００に向かって画面９に加えられる力は、全ての支持要素１２に分配され、支持面１００に直接伝達される。これは、画面９における応力を軽減することによって、前記装置の強度を強化することを可能にする。
【００３０】
図３では、本発明の動作に注目する。図２に示すように、１つの支持要素１２を拡大して表示する。支持要素１２を通る断面図であるので、２つの光源２及び３のみが見える。図を単純にするために、第２の透明要素８は示していない。光源２及び３は、拡散手段７を照射する光線を発生する。光源２は照明領域５２を生成し、光源３は照明領域５３を生成する。本発明によれば、図３に示すように、それらの照明領域５２及び５３は、互いに重複し、したがって、重複領域５０を作り出す。本発明によれば、接触領域１３は、重複領域５０上に重なる。したがって、接触領域１３は見えないか、又は照明領域５２及び５３においてほとんど現れない。
【００３１】
図３では、照明領域５２及び５３それぞれの内側に円弧を点線で示す。この点線の円内の中心照射領域５６又は５７は、対応する光源２又は３による拡散手段７の直接の照射に対応する。前記光源２又は３から放出された光は、透明要素６を通り、拡散手段７に直接到達する。しかし、この明るさは、拡散手段７によって中心照射領域５６及び５７の横に拡散され、その結果、拡散ハロー５８又は５９が各中心照射領域５６又は５７を取り囲み、それにより、照明領域５２又は５３を拡大する。これは、拡散照射に対応し、図３では、照明領域５２又は５３それぞれの実線の縁部と点線の円弧との間に含まれる領域に対応する。したがって、中心照射領域５６又は５７それぞれは、画面上に表示された画像の１つのドットを構成することができ、すなわち、画素に相当することができる。この場合、拡散ハロー５８及び５９は、ある画素から他の画素への移行部分を成す。図３では、拡散ハロー５８及び５９により重複領域５０を作り出すことが可能になり、重ね合わせて接触領域１３を隠すことを可能にするために、その寸法は、好ましくは接触領域１３と等しいか、又はそれより大きいことに注目すべきである。
【００３２】
好ましくは、透明要素６の厚さｅは拡散を増大することを可能にする。実際に、光源の直接照射の光線は厳密には限定されていない。一般的には、発光ダイオードなどの光源は、直接照射の角度αを有するものとして定義される。その角度内に含まれる光線は、光源の輝度の合計に関して定義される、一般的には５０％より高い割合の輝度に対応する。その角度内に含まれる光線は、直接照射光線であると定義される。しかし、その角度の外側に、いくらか明るさが存在する。厚さｅは、光源２及び３によって放出される直接照射光線の外側の明るさが、接触領域１３と拡散手段７の間を通ることを可能にし、それにより、拡散ハロー５８及び５９を拡大する。
【００３３】
好ましくは、重複領域５０は、接触領域１３に完全に重なり、したがって、この接触領域１３の寸法より大きいか、又はそれと等しい寸法を有する。
【００３４】
やはり好ましくは、中心照射領域５６及び５７は重複しない。したがって、中心照射領域５６及び５７それぞれが、画面上に表示される画像を構成する１つのドットに対応するとき、すなわち、照明領域５６及び５７がそれぞれ１つの画素に対応するときに、画素が混ざらないので、画像はよりクリアになる。このような場合、透明要素６の厚さｅは、以下の関係式によって与えられる値ｅｍａｘより小さいか又はそれと等しい。
ｅｍａｘ＝（Ｉ＋Ｌ）ｃｏｔａｎ（α／２）−ｈ
ただし、ｈは、光源２、３、４及び５と前記透明部分６との最短距離であり、
Ｌは、各支持要素１２と最も近くにある光源２、３、４及び５との間の距離であり、
Ｉは、前記接触領域の中心と縁部との間の距離であり、
αは、光源２、３、４及び５の直接照射の角度である。
【００３５】
したがって、重複領域５０は、拡散ハロー５８及び５９とだけ重複することによって構成される。したがって、これらのハローは、１つの中心照射領域５６から中心照射領域５７までの移行と、接触要素１３を隠すことを可能にする。
【００３６】
したがって、本発明によれば、光源２、３、４及び５が前記拡散手段７を照射するときは、それらの光源からの光しか見ることができず、 したがって、接触領域１３は、隠されるか又はそれらの光源の光度に応じて和らぐ。これは、画面９全体に投影された画像又は光の強度を損なうことなしに、画面９を支持するための装置の支持要素１２の数を増やすことを可能にする。好ましくは、各支持要素１２が４つの光源２、３、４及び５によって囲まれる。
【００３７】
本発明の他の利点は、支持要素１２の数を増やすことを可能にするという点で、前記発明が、画面９が支持面１００に向かってかかる応力に耐えることを可能にし、それらの応力全てが、全ての支持要素１２に分配されることである。画面９が受ける応力の強さに応じて、支持要素１２の数を同じ数だけ増やすことで十分である。
【００３８】
好ましくは、保持手段１は、支持要素１２から距離ｄ、画面９から距離ｄ’のところに位置する。したがって、それは、支持要素１２と保持要素１との間及び画面９と保持要素１と間に位置する空間１４を画定する。それゆえ、画面９が受ける振動は、画面９から保持手段１又は支持要素１２から保持手段１に直接伝達されない。これは、光源における、直接又は支持要素１２を介した振動を低減させることを可能にする。好ましくは、保持手段１がパネルであるとき、そのパネルは支持要素１２がその中を通る孔を含み、その縁部は、支持要素１２と接していない。図３に示すように、支持要素１２はピンであり、その直径はパネル１においてそれが通る孔より小さい。
【００３９】
好ましくは、支持要素１５は、前記保持手段１５を介したパネル１への振動の伝達を避けるために、パネル１と接触した弾力性のある手段を含む。
【００４０】
図４は、本発明による装置の底面図を示す。好ましくは、前記装置は、前記光源２、３、４及び５によって放出される光のパラメータを制御するための制御手段４０を含む。この制御手段は、各光源２、３、４及び５の光度、又はやはりそれらによって放出された色を制御することを可能にする。したがって、前記装置の画面９上の画像を拡散することが可能になり、各光源は画面９に示された画像の１つの画素に対応する。好ましくは、光源２、３、４及び５は、発光ダイオード（ＬＥＤ、ｌｉｇｈｔ  ｅｍｉｔｔｉｎｇ  ｄｉｏｄｅ）である。
【００４１】
好ましくは、装置は、仕切り２４を含み、その仕切り２４は、図１、図２及び図４に示すように、装置の残りの部分から前記制御手段４０を分離することを可能にする。パネル１７は、制御手段４０を光源２、３、４及び５から分離することを可能にする。孔１８は、光源を制御手段４０に接続する手段がそこを通るのを可能にする。
【００４２】
好ましくは、前記装置は、それを本発明による他の装置に接続することを可能にするための接続手段４２及び４４を含む。図４に示すように、接続手段４２及び４４は、前記装置を接続するためのケーブルを接続することを可能にする。図が見やすいように、図４にはそれらのケーブルを示していない。前記装置が箱の形状であるときは、縁部３０の内側の通路１６は、接続手段４２及び４４に接合するために、ケーブル又は電気接続部がその中を通ることを可能にする。図４では、それらの接続手段４２及び４４は、制御手段４０に直接接合される。
【００４３】
本発明による２つの装置の接続により、少なくとも２つの装置から作られるアセンブリを作り出すことが可能になる。したがって、それら２つの装置は、好ましくは、一方の装置の縁部がもう一方の装置の縁部に隣接するように当接する。それゆえ、それらの２つの装置の２つの画面は、複合画面を構成し、その表面は、各装置の各画面の表面の合計に対応する。
【００４４】
好ましくは、上述のアセンブリは、一括の制御手段に接合され、その制御手段は、そのアセンブリの全ての装置を制御するために全ての装置に接続される。この一括の制御手段は、各装置の全ての光源を制御し、したがって、画像を複合画面上に投影することを可能にする。したがって、本発明は、複合画面を作り出すことを可能にし、その寸法は調節することができる。複合画面の表面は、選択された装置の数の関数である。
【００４５】
したがって、本発明により、支持面１００上で支持することができる調節可能な画面を製造することが可能になる。例えば、前記装置が互いに当接してその上に配置されるダンスフロアとすることができる。したがって、多くの人の重さに耐えることができる床が得られる。この床は、画像を拡散するための画面を構成する。踊っている人たちの重さは、全ての支持要素１２に分配される。この床全体が耐えなければならない重さに応じて、この装置は、本発明が隠すことが可能である、より多くの又はより少ない支持要素１２を含む。
【００４６】
このような場合には、画面は、好ましくは、前述のように２つの透明要素６及び８を含み、前記透明要素が、例えば、積層ガラス又はプレキシグラスのパネルから作られる。
【図面の簡単な説明】
【００４７】
【図１】本発明による装置の一部の斜視図である。
【図２】本発明による装置の断面図である。
【図３】本発明による装置の断面詳細図である。
【図４】本発明による装置の底面図である。
【図１】
2008537287.tif 000003
【図２】
2008537287.tif 000004
【図３】
2008537287.tif 000005
【図４】
2008537287.tif 000006
【国際調査報告】
2008537287.tif 000007
2008537287.tif 000008
2008537287.tif 000009
2008537287.tif 000010